(57)【要約】【課題】残像が低減された高画質の表示が得られる電気光学装置の駆動方法を提供する。【解決手段】電気光学物質を含む画素を複数有する表示部を備えた電気光学装置の駆動方法であって、前記表示部に第１の階調で表示された画像成分を消去する表示消去ステップが、複数の前記画素のうち、前記画像成分を第１の方向に少なくとも１画素分ずらした位置に対応する第１の領域の画素に、前記第１の階調と異なる第２の階調を表示させるための駆動電圧を供給する第１の消去ステップと、複数の前記画素のうち、前記画像成分を前記第１の方向と異なる第２の方向に少なくとも１画素分ずらした位置に対応する第２の領域の画素に、前記第２の階調を表示させるための駆動電圧を供給する第２の消去ステップと、を含むことを特徴とする駆動方法を採用する。【選択図】図７
2011221466.tif 000002
【特許請求の範囲】
【請求項１】
電気光学物質を含む画素を複数有する表示部を備えた電気光学装置の駆動方法であって、
前記表示部に第１の階調で表示された画像成分を消去する表示消去ステップが、
複数の前記画素のうち、前記画像成分を第１の方向に少なくとも１画素分ずらした位置に対応する第１の領域の画素に、前記第１の階調と異なる第２の階調を表示させるための駆動電圧を供給する第１の消去ステップと、
複数の前記画素のうち、前記画像成分を前記第１の方向と異なる第２の方向に少なくとも１画素分ずらした位置に対応する第２の領域の画素に、前記第２の階調を表示させるための駆動電圧を供給する第２の消去ステップと、
を含むことを特徴とする電気光学装置の駆動方法。
【請求項２】
前記第１の消去ステップにおいて、複数の前記画素のうち、前記画像成分を構成する画素と前記第１の領域の画素とに前記駆動電圧を供給し、
前記第２の消去ステップにおいて、前記画像成分を構成する画素と前記第２の領域の画素とに前記駆動電圧を供給することを特徴とする請求項１に記載の電気光学装置の駆動方法。
【請求項３】
前記画像成分を構成する画素にのみ前記駆動電圧を供給する第３の消去ステップをさらに有することを特徴とする請求項１又は２に記載の電気光学装置の駆動方法。
【請求項４】
前記表示消去ステップにおけるフレーム周波数は、前記表示部に前記第１の階調を含む画像成分を表示させるときのフレーム周波数よりも高いことを特徴とする請求項１から３のいずれか１項に記載の電気光学装置の駆動方法。
【請求項５】
電気光学物質を含む画素を複数有する表示部と、前記表示部を駆動制御する制御部と、を備えた電気光学装置であって、
前記制御部は、
前記表示部に第１の階調で表示された画像成分を消去する表示消去動作において、
複数の前記画素のうち、前記画像成分を第１の方向に少なくとも１画素分ずらした位置に対応する第１の領域の画素に、前記第１の階調と異なる第２の階調を表示させるための駆動電圧を供給する第１の消去動作と、
複数の前記画素のうち、前記画像成分を前記第１の方向と異なる第２の方向に少なくとも１画素分ずらした位置に対応する第２の領域の画素に、前記第２の階調を表示させるための駆動電圧を供給する第２の消去動作と、
を実行することを特徴とする電気光学装置。
【請求項６】
前記制御部は、
前記第１の消去動作において、複数の前記画素のうち、前記画像成分を構成する画素と前記第１の領域の画素とに前記駆動電圧を供給し、
前記第２の消去動作において、前記画像成分を構成する画素と前記第２の領域の画素とに前記駆動電圧を供給することを特徴とする請求項５に記載の電気光学装置。
【請求項７】
電気光学物質を含む画素を複数有する表示部を備えた電気光学装置に適用される制御回路であって、
前記表示部に第１の階調で表示された画像成分を消去する表示消去動作において、
複数の前記画素のうち、前記画像成分を第１の方向に少なくとも１画素分ずらした位置に対応する第１の領域の画素に、前記第１の階調と異なる第２の階調を表示させるための駆動電圧を供給する第１の消去動作と、
複数の前記画素のうち、前記画像成分を前記第１の方向と異なる第２の方向に少なくとも１画素分ずらした位置に対応する第２の領域の画素に、前記第２の階調を表示させるための駆動電圧を供給する第２の消去動作と、
を実行することを特徴とする制御回路。
【請求項８】
前記第１の消去動作において、複数の前記画素のうち、前記画像成分を構成する画素と前記第１の領域の画素とに前記駆動電圧を供給し、
前記第２の消去動作において、前記画像成分を構成する画素と前記第２の領域の画素とに前記駆動電圧を供給することを特徴とする請求項７に記載の制御回路。
【請求項９】
請求項５又は６に記載の電気光学装置を備えたことを特徴とする電子機器。
【発明の詳細な説明】
【技術分野】
【０００１】
本発明は、電気光学装置の駆動方法、電気光学装置、電気光学装置用の制御回路、電子機器に関するものである。
【背景技術】
【０００２】
記憶型の表示素子を備えた電気光学装置の一態様である電気泳動表示装置の駆動方法として、表示部の表示画像を更新する際に、更新前の画像（前画像）の黒表示部分を構成する画素のみを駆動して全面を白表示とすることで画像を消去する方法が知られている（例えば特許文献１参照）。
【先行技術文献】
【特許文献】
【０００３】
【特許文献１】特開２００７−２０６２６７号公報
【発明の概要】
【発明が解決しようとする課題】
【０００４】
しかし上記のような駆動方法では、前画像における黒表示部分と白表示部分との境界に残像が発生してしまうという問題があった。
本発明は、上記従来技術の問題点に鑑み成されたものであって、残像が低減された高画質の表示が得られる電気光学装置の駆動方法及び電気光学装置を提供することを目的の一つとする。
【課題を解決するための手段】
【０００５】
本発明の電気光学装置の駆動方法は、電気光学物質を含む画素を複数有する表示部を備えた電気光学装置の駆動方法であって、前記表示部に第１の階調で表示された画像成分を消去する表示消去ステップが、複数の前記画素のうち、前記画像成分を第１の方向に少なくとも１画素分ずらした位置に対応する第１の領域の画素に、前記第１の階調と異なる第２の階調を表示させるための駆動電圧を供給する第１の消去ステップと、複数の前記画素のうち、前記画像成分を前記第１の方向と異なる第２の方向に少なくとも１画素分ずらした位置に対応する第２の領域の画素に、前記第２の階調を表示させるための駆動電圧を供給する第２の消去ステップと、を含むことを特徴とする。
【０００６】
この駆動方法では、表示部に第１の階調で表示されている画像成分を消去する際に、この画像成分から少なくとも１画素ずらした第１の領域に対する消去動作と、第１の方向とは異なる方向に上記画像成分をずらした第２の領域に対する消去動作とを行うので、画像成分の外側の領域に属する画素に対しても消去動作を実行することになる。これにより、画像成分を構成する画素のみを駆動して表示を消去する場合に画像成分の輪郭に沿って発生していた残像を低減することができる。したがって、残像が低減された高画質の表示を得ることができる。
【０００７】
前記第１の消去ステップにおいて、複数の前記画素のうち、前記画像成分を構成する画素と前記第１の領域の画素とに前記駆動電圧を供給し、前記第２の消去ステップにおいて、前記画像成分を構成する画素と前記第２の領域の画素とに前記駆動電圧を供給する駆動方法としてもよい。
この駆動方法によれば、第１の消去ステップと第２の消去ステップの双方において、必ず画像成分を構成する画素を駆動するので、画像成分を構成する画素における電流履歴のバランスが崩れるのを低減でき、電気光学装置の表示品質や信頼性が低下するのを回避することができる。
【０００８】
前記画像成分を構成する画素にのみ前記駆動電圧を供給する第３の消去ステップをさらに有する駆動方法としてもよい。
この駆動方法によれば、画像成分を構成する画素を確実に駆動することができるため、電流履歴のバランスをより確実に維持することができる。
【０００９】
前記表示消去ステップにおけるフレーム周波数は、前記表示部に前記第１の階調を含む画像成分を表示させるときのフレーム周波数よりも高い駆動方法としてもよい。
この駆動方法によれば、第１の消去ステップと第２の消去ステップの実行時間を短くすることができるため、画像成分の周囲に位置する画素に対する消去動作の時間を短くすることができ、これら周囲の画素における電流履歴のバランスが崩れるのを低減することができる。
【００１０】
次に、本発明の電気光学装置は、電気光学物質を含む画素を複数有する表示部と、前記表示部を駆動制御する制御部と、を備えた電気光学装置であって、前記制御部は、前記表示部に第１の階調で表示された画像成分を消去する表示消去動作において、複数の前記画素のうち、前記画像成分を第１の方向に少なくとも１画素分ずらした位置に対応する第１の領域の画素に、前記第１の階調と異なる第２の階調を表示させるための駆動電圧を供給する第１の消去動作と、複数の前記画素のうち、前記画像成分を前記第１の方向と異なる第２の方向に少なくとも１画素分ずらした位置に対応する第２の領域の画素に、前記第２の階調を表示させるための駆動電圧を供給する第２の消去動作と、を実行することを特徴とする。
【００１１】
この構成では、表示部に第１の階調で表示されている画像成分を消去する際に、この画像成分から少なくとも１画素ずらした第１の領域に対する消去動作と、第１の領域とは異なる方向に上記画像成分をずらした第２の領域に対する消去動作とを行うので、画像成分の外側の領域に属する画素に対しても消去動作を実行することになる。これにより、画像成分を構成する画素のみを駆動して表示を消去する場合に画像成分の輪郭に沿って発生していた残像を低減することができる。したがって、残像が低減された高画質の表示を得ることができる。
【００１２】
前記制御部は、前記第１の消去動作において、複数の前記画素のうち、前記画像成分を構成する画素と前記第１の領域の画素とに前記駆動電圧を供給し、前記第２の消去動作において、前記画像成分を構成する画素と前記第２の領域の画素とに前記駆動電圧を供給する構成としてもよい。
この構成によれば、第１の消去動作と第２の消去動作の双方において、必ず画像成分を構成する画素を駆動するので、画像成分を構成する画素における電流履歴のバランスが崩れるのを低減でき、電気光学装置の表示品質や信頼性が低下するのを回避することができる。
【００１３】
本発明の電気光学装置用の制御回路は、電気光学物質を含む画素を複数有する表示部を備えた電気光学装置に適用される制御回路であって、前記表示部に第１の階調で表示された画像成分を消去する表示消去動作において、複数の前記画素のうち、前記画像成分を第１の方向に少なくとも１画素分ずらした位置に対応する第１の領域の画素に、前記第１の階調と異なる第２の階調を表示させるための駆動電圧を供給する第１の消去動作と、複数の前記画素のうち、前記画像成分を前記第１の方向と異なる第２の方向に少なくとも１画素分ずらした位置に対応する第２の領域の画素に、前記第２の階調を表示させるための駆動電圧を供給する第２の消去動作と、を実行することを特徴とする。
【００１４】
かかる構成を備えた制御回路は、表示部に第１の階調で表示されている画像成分を消去する際に、この画像成分から少なくとも１画素ずらした第１の領域に対する消去動作と、第１の領域とは異なる方向に上記画像成分をずらした第２の領域に対する消去動作とを行うので、画像成分の外側の領域に属する画素に対しても消去動作を実行することになる。これにより、画像成分を構成する画素のみを駆動して表示を消去する場合に画像成分の輪郭に沿って発生していた残像を低減することができる。したがって、残像が低減された高画質の表示を得ることができる。
【００１５】
前記第１の消去動作において、複数の前記画素のうち、前記画像成分を構成する画素と前記第１の領域の画素とに前記駆動電圧を供給し、前記第２の消去動作において、前記画像成分を構成する画素と前記第２の領域の画素とに前記駆動電圧を供給する構成としてもよい。
この構成によれば、第１の消去動作と第２の消去動作の双方において、必ず画像成分を構成する画素を駆動するので、画像成分を構成する画素における電流履歴のバランスが崩れるのを低減でき、電気光学装置の表示品質や信頼性が低下するのを回避することができる。
【００１６】
本発明の電子機器は、先に記載の電気光学装置を備えたことを特徴とする。
この構成によれば、高品質の表示が可能な表示手段を備えた電子機器を提供することができる。
【図面の簡単な説明】
【００１７】
【図１】第１の実施形態に係る電気光学装置の機能ブロック図。
【図２】電気光学パネルの回路構成を示す図。
【図３】電気泳動素子の動作説明図。
【図４】画像信号生成部の機能ブロック図。
【図５】画像信号生成部において生成される画像データを示す説明図。
【図６】画素データの出力タイミングの比較説明図。
【図７】第１実施形態に係る電気光学装置の駆動方法を示すフローチャート。
【図８】電気光学パネルの表示部の遷移の様子を画像データとともに示す説明図。
【図９】駆動方法の他の例を示すフローチャート。
【図１０】第２の実施形態に係る画像信号生成部の機能ブロック図。
【図１１】画像信号生成部において生成される画像データを示す説明図。
【図１２】第２の実施形態に係る電気光学装置の作用説明図。
【図１３】電子機器の一例を示す図。
【図１４】電子機器の一例を示す図。
【図１５】電子機器の一例を示す図。
【発明を実施するための形態】
【００１８】
以下、図面を用いて本発明の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１９】
（第１の実施形態）
図１は、本発明の第１の実施形態に係る電気光学装置の機能ブロック図である。図２は、電気光学パネルの回路構成を示す図である。図３は、電気泳動素子の動作説明図である。
【００２０】
電気光学装置１００は、図１に示すように、ＣＰＵ（Central Processing Unit）１０２、表示部制御装置１１０（制御部、制御回路）、記憶装置１１１、電気光学パネル１１２、プログラムメモリ１１３、ワークメモリ１１４、ＶＹ電源１６１、ＶＸ電源１６２、及び共通電源１６３を備えている。
【００２１】
ＣＰＵ１０２に、表示部制御装置１１０と、プログラムメモリ１１３と、ワークメモリ１１４とが接続されている。表示部制御装置１１０には、記憶装置１１１と、電気光学パネル１１２と、共通電源１６３とが接続されている。電気光学パネル１１２には、ＶＹ電源１６１と、ＶＸ電源１６２と、共通電源１６３とが接続されている。
【００２２】
ＣＰＵ１０２は、プログラムメモリ１１３に格納された基本制御プログラムやアプリケーションプログラム等の各種プログラム及びデータを読み込み、それら各種プログラム及びデータをワークメモリ１１４内に設けられるワークエリアに展開実行して、電気光学装置１００が備える各部の制御を実行する。
例えば、図示略の上位装置から供給される画像データを電気光学パネル１１２に表示させる場合に、ＣＰＵ１０２は、上位装置から入力される制御信号に基づいて電気光学パネル１１２を制御する命令を生成し、画像データとともに表示部制御装置１１０に出力する。
【００２３】
プログラムメモリ１１３は各種プログラムを保持したＲＯＭ（Read Only Memory）等であり、ワークメモリ１１４はＣＰＵ１０２の作業領域を構成するＲＡＭ（Random Access Memory）である。プログラムメモリ１１３及びワークメモリ１１４は、記憶装置１１１に含まれていてもよい。あるいは、ＣＰＵ１０２にプログラムメモリ１１３やワークメモリ１１４が内蔵されている構成としてもよい。
【００２４】
表示部制御装置１１０（制御部、制御回路）は、全体制御部１４０と、画像データ書込制御部１４１と、タイミング信号生成部１４２と、共通電源制御部１４３と、記憶装置制御部１４４と、画像データ読出制御部１４５と、画像信号生成部１４６と、選択信号生成部１４７とを有する。
全体制御部１４０には、画像データ書込制御部１４１と、タイミング信号生成部１４２と、共通電源制御部１４３とが接続されている。画像データ書込制御部１４１には記憶装置制御部１４４が接続されている。タイミング信号生成部１４２には画像データ読出制御部１４５と画像信号生成部１４６と選択信号生成部１４７とが接続されている。共通電源制御部１４３には共通電源１６３が接続されている。
表示部制御装置１１０は、全体制御部１４０においてＣＰＵ１０２と接続され、画像信号生成部１４６及び選択信号生成部１４７において電気光学パネル１１２と接続され、記憶装置制御部１４４において記憶装置１１１と接続されている。
【００２５】
記憶装置１１１は、いずれもＲＡＭからなる前画像保持部１２０と次画像保持部１２１とを備えている。前画像保持部１２０は電気光学パネル１１２に表示させた後の画像データ（現在表示されている画像に対応する画像データすなわち前画像）を保持する記憶領域であり、次画像保持部１２１は電気光学パネル１１２にこれから表示させる画像データ（更新画像に対応する画像データ）を保持する記憶領域である。
前画像保持部１２０及び次画像保持部１２１はいずれも表示部制御装置１１０の記憶装置制御部１４４と接続されており、表示部制御装置１１０は、記憶装置制御部１４４を介して記憶装置１１１に対する画像データの読み書きを実行する。
【００２６】
電気光学パネル１１２は、電気泳動素子やコレステリック液晶素子などの記憶性表示素子を備えた表示部１５０と、表示部１５０に接続された走査線駆動回路１５１及びデータ線駆動回路１５２と、を備えている。表示部１５０には共通電源１６３が接続されている。走査線駆動回路１５１には、ＶＹ電源１６１と、表示部制御装置１１０の選択信号生成部１４７とが接続されている。データ線駆動回路１５２には、ＶＸ電源１６２と、表示部制御装置１１０の画像信号生成部１４６が接続されている。
【００２７】
図２に示すように、電気光学パネル１１２の表示部１５０には、図示のＸ軸方向に延在する複数の走査線Ｇ（Ｇ１、Ｇ２、…、Ｇｍ）と、Ｙ軸方向（Ｘ軸と直交する方向）に延在する複数のデータ線Ｓ（Ｓ１、Ｓ２、…、Ｓｎ）とが形成されている。走査線Ｇとデータ線Ｓとの交差部に対応して画素１０が形成されている。画素１０は、Ｙ軸方向に沿ってｍ個、Ｘ軸方向に沿ってｎ個のマトリクス状に配列されており、各々の画素１０に走査線Ｇとデータ線Ｓとが接続されている。また表示部１５０には、共通電源１６３から延びる共通電極配線ＣＯＭと容量線Ｃとが形成されている。
【００２８】
画素１０には、画素スイッチング素子としての選択トランジスタ２１と、保持容量２２と、画素電極２４と、共通電極２５と、電気光学物質層２６とが形成されている。
選択トランジスタ２１はＮ−ＭＯＳ（Negative-channel Metal Oxide Semiconductor）ＴＦＴで構成されている。選択トランジスタ２１のゲートに走査線Ｇが接続され、ソースにデータ線Ｓが接続され、ドレインには保持容量２２の一方の電極と画素電極２４とが接続されている。
【００２９】
保持容量２２は、誘電体膜を介して対向配置された一対の電極からなる。保持容量２２の一方の電極は選択トランジスタ２１のドレインに接続され、他方の電極は容量線Ｃに接続されている。保持容量２２によって選択トランジスタ２１を介して書き込まれた画像信号を一定期間だけ維持することができる。
【００３０】
電気光学物質層２６は、電気泳動素子やコレステリック液晶素子、電子粉粒素子などからなる。例えば電気泳動素子としては、電気泳動粒子と分散媒とが封入されたマイクロカプセルを配列したものや、隔壁と基板により区画された空間に電気泳動粒子と分散媒とを封入したものが挙げられる。
【００３１】
走査線駆動回路１５１は、表示部１５０に形成された走査線Ｇと接続されており、各々の走査線Ｇを介してそれぞれ対応する行の画素１０に接続されている。走査線駆動回路１５１は、図１に示したタイミング信号生成部１４２から選択信号生成部１４７を介して供給されるタイミング信号に基づいて、走査線Ｇ１、Ｇ２、…、Ｇｍの各々に選択信号をパルス状に順次供給し、走査線Ｇの一本一本を逐次的に選択状態にする。選択状態とは、走査線Ｇに接続される選択トランジスタ２１がオンしている状態である。
【００３２】
データ線駆動回路１５２は、表示部１５０に形成されたデータ線Ｓと接続されており、各々のデータ線Ｓを介してそれぞれ対応する列の画素１０に接続されている。データ線駆動回路１５２は、タイミング信号生成部１４２から画像信号生成部１４６を介して供給されるタイミング信号に基づいて、データ線Ｓ１、Ｓ２、…、Ｓｎに画像信号生成部１４６で生成された画像信号を供給する。
【００３３】
なお、後述する動作説明では、画像信号はハイレベル電位ＶＨ（例えば１５Ｖ）又はローレベル電位ＶＬ（例えば０Ｖや−１５Ｖ）の２値的な電位をとるものとしている。また本実施形態では、黒色（第１の表示状態）が表示されるべき画素１０に対して画素データ「１」に対応するハイレベルの画像信号（電位ＶＨ）が供給され、白色（第２の表示状態）が表示されるべき画素１０に対して画素データ「０」に対応するローレベルの画像信号（電位ＶＬ）が供給されるものとする。
【００３４】
また、共通電極２５には、共通電源１６３から電位Ｖcomが供給され、容量線Ｃには、共通電源１６３から電位Ｖｓｓが供給される。
ただし後述する動作説明では、説明の簡単のために、共通電極２５の電位Ｖcomは、ローレベル電位ＶＬ（例えば０Ｖや−１５Ｖ）、又はハイレベル電位ＶＨ（例えば１５Ｖ）の２値的な電位をとるものとする。また容量線Ｃの電位Ｖｓｓは、基準電位ＧＮＤ（例えば０Ｖ）に固定されているものとする。
【００３５】
上述したように、本実施形態の電気光学物質層２６には種々の構成を適用することができるが、以下の説明では、発明を理解しやすくするために電気光学物質層２６が電気泳動素子であるとして説明する。図３は電気泳動素子の動作説明図であり、図３（ａ）は画素を白表示する場合、図３（ｂ）は画素を黒表示する場合をそれぞれ示している。
【００３６】
図３（ａ）に示す白表示の場合には、共通電極２５が相対的に高電位、画素電極２４が相対的に低電位に保持される。これにより、負に帯電した白色粒子２７が共通電極２５に引き寄せられる一方、正に帯電した黒色粒子２８が画素電極２４に引き寄せられる。その結果、表示面側となる共通電極２５側からこの画素を見ると、白色（Ｗ）が認識される。
図３（ｂ）に示す黒表示の場合、共通電極２５が相対的に低電位、画素電極２４が相対的に高電位に保持される。これにより、正に帯電した黒色粒子２８が共通電極２５に引き寄せられる一方、負に帯電した白色粒子２７が画素電極２４に引き寄せられる。その結果、共通電極２５側からこの画素を見ると黒色（Ｂ）が認識される。
【００３７】
なお、本実施形態では走査線駆動回路１５１とデータ線駆動回路１５２とを備えたアクティブマトリクス方式の電気光学パネル１１２を示したが、電気光学パネル１１２としては、パッシブマトリクス方式やセグメント駆動方式の電気光学パネルであってもよい。また、他のアクティブマトリクス方式を採用してもよい。例えば、画素毎に選択トランジスタと駆動トランジスタと保持容量とを備え、選択トランジスタのドレイン及び保持容量の一方の電極が駆動トランジスタのゲートに接続されている２Ｔ１Ｃ（２トランジスタ１キャパシタ）方式を採用してもよい。あるいは、画素毎にラッチ回路を備えたＳＲＡＭ方式を採用してもよく、ラッチ回路の出力により画素電極と制御線との接続を制御する方式であってもよい。
これらの方式であっても、表示部１５０の一部の画素１０を選択的に駆動することができ、後述する駆動方法を適用して画像表示を行うことができる。
【００３８】
次に、図４は、図１に示した画像信号生成部１４６（画像信号生成回路）の詳細な構成を示す機能ブロック図である。
画像信号生成部１４６は、端子Ｔ１、Ｔ２と、１ライン遅延回路１８１、１８２と、画素データ保持部１８３と、第１選択回路１８５（第１セレクタ）と、第２選択回路１８９（第２セレクタ）と、を備えている。
【００３９】
画像信号生成部１４６には、画像データ読出制御部１４５から「次画像画素データ」と「前画像画素データ」が入力される。「次画像画素データ」は、図１に示した次画像保持部１２１に保持された画像データ（次画像データ）を構成する画素データである。「前画像画素データ」は、前画像保持部１２０に保持された画像データ（前画像データ）を構成する画素データである。
【００４０】
画像データ読出制御部１４５は、上位装置（全体制御部１４０）から供給される命令に基づいて、画像信号生成部１４６に次画像データ又は前画像データを構成する画素データを供給する。
次画像データを供給する場合には、画像データ読出制御部１４５は、記憶装置制御部１４４を介して次画像保持部１２１から次画像データを読み出し、次画像データを構成する画素データを１つずつ逐次的に端子Ｔ１に供給する。一方、前画像データを供給する場合には、画像データ読出制御部１４５は、前画像保持部１２０から前画像データを読み出し、前画像データを構成する画素データを１つずつ逐次的に端子Ｔ２に供給する。
【００４１】
「次画像画素データ」が供給される端子Ｔ１は、配線１７１を介して第２選択回路１８９の入力端子の１つ（入力１）に接続されている。第２選択回路１８９は、２入力１出力のセレクタであり、１ビット以上の制御信号の入力により２つの入力信号から１つを選択してデータ線駆動回路１５２に出力する。
【００４２】
一方、「前画像画素データ」が供給される端子Ｔ２は、配線１７３と接続されている。配線１７３は、配線１７３は、画素データ保持部１８３（データ保持回路１９０のＤ入力）と、１ライン遅延回路１８１の入力端子とに接続されている。
【００４３】
画素データ保持部１８３は、４個のデータ保持回路１９０〜１９３を備えている。各々のデータ保持回路１９０〜１９３は、本実施形態ではＤフリップフロップである。４個のデータ保持回路のうち、２個のデータ保持回路１９１、１９３が直列に接続されている。画素データ保持部１８３において、３個のデータ保持回路１９０、１９１、１９２のＤ入力が入力端子（３入力）であり、３個のデータ保持回路１９０、１９３、１９２のそれぞれのＱ出力が出力端子（３出力）である。
データ保持回路１９０〜１９３はＤフリップフロップに限定されず、画素データを一時的に保持できる他の回路を用いてもよい。
【００４４】
１ライン遅延回路１８１、１８２は、入力端子を介して供給された画素データを、所定期間（走査線Ｇの選択周期）だけ保持した後、出力端子から出力する回路である。
配線１７３を入力端子に接続された１ライン遅延回路１８１の出力端子は、配線１７５を介して画素データ保持部１８３（データ保持回路１９１のＤ入力）と、１ライン遅延回路１８２の入力端子と、第１選択回路１８５の入力端子の１つ（入力１）とに接続されている。さらに、１ライン遅延回路１８２の出力端子は、配線１７６を介して画素データ保持部１８３（データ保持回路１９２のＤ入力）に接続されている。
したがって、１ライン遅延回路１８２には、１ライン遅延回路１８１により１ライン分タイミングを遅らされた画素データが入力され、１ライン遅延回路１８２によりさらに１ライン分タイミングを遅らされた画素データが画素データ保持部１８３に対して出力されることになる。
【００４５】
第１選択回路１８５は、４入力１出力のセレクタであり、２ビットの制御信号の入力により４つの入力信号（画像データＤ１〜Ｄ４）から１つを選択して出力する。第１選択回路１８５の出力端子は、ＮＯＴ回路１８６の入力端子に接続され、ＮＯＴ回路１８６の出力端子は第２選択回路１８９の入力端子の１つ（入力２）に接続されている。
第１選択回路１８５の４つの入力端子（入力１〜入力４）のうち、入力１には、１ライン遅延回路１８１の出力端子（配線１７５）が接続されている。入力２には、データ保持回路１９３のＱ出力が接続されている。入力３には、データ保持回路１９０のＱ出力が接続されている。入力４には、データ保持回路１９２のＱ出力が接続されている。
【００４６】
本明細書では、第１選択回路１８５の入力１〜入力４に入力される画素データにより構成される画像データをそれぞれ画像データＤ１〜Ｄ４と規定する。第１選択回路１８５は、制御端子ＳＳに入力される制御信号に基づいて入力１〜入力４のいずれかをＮＯＴ回路１８６に出力する。ＮＯＴ回路１８６は第１選択回路１８５から供給された画像データＤ１〜Ｄ４の各画素データを白黒反転（階調値反転）させて第２選択回路１８９に出力する。
【００４７】
画像信号生成部１４６の具体的な動作を以下に説明する。
端子Ｔ２に入力された「前画像画素データ」は、まず、所定のタイミングで、配線１７３を介して画素データ保持部１８３のデータ保持回路１９０に入力されるとともに、１ライン遅延回路１８１に入力され保持される。その後、走査線Ｇの選択周期に相当する期間が経過したタイミングで、１ライン遅延回路１８１から配線１７５を介して画素データ保持部１８３のデータ保持回路１９１に入力されるとともに、第１選択回路１８５の入力１に入力され、また１ライン遅延回路１８２に入力され保持される。さらにその後、走査線Ｇの選択周期に相当する期間が経過したタイミングで、１ライン遅延回路１８２から配線１７６を介して画素データ保持部１８３のデータ保持回路１９２に入力される。以上の動作により、画素データ保持部１８３の３つの入力端子に、前画像データの同一列に属する連続した３画素の画素データが入力される。
【００４８】
画素データ保持部１８３では、各行のデータ保持回路のうち、第２行のデータ保持回路１９１にのみデータ保持回路１９３が接続されており、他の２つのデータ保持回路１９０、１９２のＱ出力はそのまま画素データ保持部１８３の出力となる。したがって、データ保持回路１９０、１９１、１９２に入力された画素データのうち、データ保持回路１９０、１９２に入力された画素データは、次のクロックに同期して、第１選択回路１８５の入力３、入力４に出力される。一方、データ保持回路１９１に入力された画素データは、上記の次クロックに同期して１段後のデータ保持回路１９３に転送され、その次のクロックに同期して第１選択回路１８５の入力２に出力される。
【００４９】
ここで図５は、画像信号生成部１４６において生成される画像データＤ１〜Ｄ４を、元の画像データＤ０（次画像データ）とともに示す説明図である。図５に示す画像データのデータ開始位置は左上端であり、表示部１５０に対応させて所定数の画素（２５画素）ごとに改行した状態で示されている。
【００５０】
図６は、画像データＤ０〜Ｄ４を構成する画素データの出力タイミングの比較説明に用いる図であり、図６（ａ）は、画素データの配列状態を示す説明図、図６（ｂ）は画素データの出力タイミングを示すタイミングチャートである。
【００５１】
図５（ａ）は、元の画像データＤ０（次画像データ）を示す図である。画像データＤ０は、２５画素×２５画素の正方形の領域の中央に黒色の正方形の図形Ｆ（画像成分）が描かれた画像データである。画像データＤ０は、第１選択回路１８５への画素データ入力のタイミングにおいて、データ保持回路１９１のＱ出力から出力される画素データにより構成される画像データである。
図６（ｂ）に示すタイミングチャートは、データ保持回路１９１のＱ出力から画像データＤ０を構成する画素データが出力されるタイミングを基準としており、クロックＳＣＬＫに同期して、図６（ａ）に斜線を付して示す２行目の１２８個の画素データ（画素データｐ１０〜ｐ１１２７）が順次出力される場合が示されている。
【００５２】
図５（ｂ）に示す画像データＤ１は、１ライン遅延回路１８１から第１選択回路１８５の入力１に供給される画素データにより構成される画像データである。画像データＤ１を構成する画素データは、画像データＤ０を構成する画素データに対して１クロック分（データ保持回路１９１を通過する時間）だけ早いタイミングで第１選択回路１８５へ入力される。すなわち、第１選択回路１８５の入力１には、図６（ｂ）の「Ｄ１」に示すように、画像データＤ０の画素データｐ１０がデータ保持回路１９１から出力されるタイミングで、次の画素データｐ１１が入力される。そのため画像データＤ１は、画像データＤ０に対して図形Ｆが１画素分左側へずれた画像となる。
【００５３】
図５（ｃ）に示す画像データＤ２は、１ライン遅延回路１８１からデータ保持回路１９１，１９３を経由して第１選択回路１８５の入力２に供給される画素データにより構成される画像データである。画像データＤ２を構成する画素データは、画像データＤ０を構成する画素データに対して１クロック分（データ保持回路１９３を通過する時間）だけ遅いタイミングで第１選択回路１８５へ入力される。すなわち、第１選択回路１８５の入力２には、図６（ｂ）の「Ｄ２」に示すように、画像データＤ０の画素データｐ１０、Ｐ１１、…がデータ保持回路１９１から出力されるタイミングで、画素データｐＤＭＹ、Ｐ１０、…が入力される。そのため画像データＤ２は、画像データＤ０に対して図形Ｆが１画素分右側へずれた画像となる。なお、ｐＤＭＹは画像データＤ０において存在しない位置の画素データを出力する場合に用いられるダミーデータである。ｐＤＭＹとしては、画素１０を駆動しない場合に対応する値の画素データが用いられる。
【００５４】
図５（ｄ）に示す画像データＤ３は、端子Ｔ２からデータ保持回路１９０を介して第１選択回路１８５の入力３に供給される画素データにより構成される画像データである。画像データＤ３を構成する画素データは、画像データＤ０を構成する画素データに対して、１ライン分（１ライン遅延回路１８１を通過する時間）だけ早いタイミングで第１選択回路１８５へ入力される。すなわち、第１選択回路１８５の入力３には、図６（ｂ）の「Ｄ３」に示すように、画像データＤ０の画素データｐ１０、Ｐ１１、…がデータ保持回路１９１から出力されるタイミングで、画素データｐ００、Ｐ０１、…が入力される。そのため画像データＤ３は、画像データＤ０に対して図形Ｆが１画素分上側へずれた画像となる。
【００５５】
図５（ｅ）に示す画像データＤ４は、１ライン遅延回路１８２からデータ保持回路１９２を経由して第１選択回路１８５の入力４に供給される画素データにより構成される画像データである。画像データＤ４を構成する画素データは、画像データＤ０を構成する画素データに対して１ライン分（１ライン遅延回路１８２を通過する時間）だけ遅いタイミングで第１選択回路１８５へ入力される。すなわち、第１選択回路１８５の入力４には、図６（ｂ）の「Ｄ４」に示すように、画像データＤ０の画素データｐ１０、Ｐ１１、…がデータ保持回路１９１から出力されるタイミングで、画素データｐ２０、ｐ２１、…が入力される。そのため画像データＤ４は、画像データＤ０に対して図形Ｆが１画素分下側へずれた画像となる。
【００５６】
画像信号生成部１４６は、第１選択回路１８５及び第２選択回路１８９に入力する制御信号の設定により、第２選択回路１８９からデータ線駆動回路１５２に対して、画像データＤ１〜Ｄ４の１つに対応する反転画像の画素データを同じタイミングで選択出力することができる。
【００５７】
なお、本実施形態では、画像データＤ１〜Ｄ４を、画像データＤ０を左右上下のいずれかの方向に１画素ずらした画像としたが、２画素以上ずらしてもよいのはもちろんである。また、左右上下のうちの一方向ではなく、斜め方向にずらしてもよい。例えば、画像データＤ０を左方向に１画素、及び上方向に１画素ずらした画像を画像データＤ１とし、画像データＤ０を右方向に１画素、及び下方向に１画素ずらした画像を画像データＤ２とすることもできる。
【００５８】
［駆動方法］
次に、電気光学装置１００の駆動方法について、図７及び図８を参照しつつ説明する。
図７は、第１実施形態の駆動方法を示すフローチャートであり、図８は、電気光学パネルの表示部の遷移の様子を、図７の各ステップで用いる画像データとともに示した説明図である。
【００５９】
図７に示すフローチャートは、電気光学装置１００の表示画像を更新する際の一連のフローを示したものであり、表示消去ステップＳ１０１と、画像表示ステップＳ１０２とを含む。本実施形態に係る表示消去ステップＳ１０１は、第１の消去ステップＳＴ１１と、第２の消去ステップＳＴ１２と、第３の消去ステップＳＴ１３と、第４の消去ステップＳＴ１４とからなる。
【００６０】
図８（ａ）の上段は、図７に示す各ステップを実行する前の表示部１５０の状態を示す図である。領域Ｒ０の画素によって黒色（第１の階調）が表示され、領域Ｒ０以外の画素によって白色（第２の階調）が表示されている。図８（ｂ）〜（ｅ）、図８（ｆ）の上段は、それぞれ、ステップＳ１０１、Ｓ１０２の実行結果に対応する表示部１５０の表示状態を示す図である。
図８（ａ）の下段は、上段に示す画像の表示に用いた画像データＤ０（前画像データ）を示す図である。図８（ｂ）〜（ｅ）の下段は、ステップＳ１０１における消去範囲を規定する画像データ（画像データＤ１〜Ｄ４の反転画像データＤ１ｂ〜Ｄ４ｂ）を示したものである。図８（ｆ）の下段は、ステップＳ１０２で用いる画像データＤ５を示す図である。
【００６１】
本実施形態の駆動方法では、表示消去ステップＳ１０１（第１の消去ステップＳＴ１１〜第４の消去ステップＳＴ１４）を実行することで、図８（ａ）に示す状態の表示部１５０から黒色（第１の階調）の矩形の画像を消去して全面を白色（第２の階調）の表示とする。その後、画像表示ステップＳ１０２を実行することで、図８（ｆ）に示す黒色の帯状の画像を表示部１５０に表示させる。
【００６２】
本実施形態の駆動方法により電気光学パネル１１２の表示を更新する場合に、まず、ＣＰＵ１０２は、表示部制御装置１１０に対して、次に表示させる画像データ（次画像データ）を含むパネル駆動要求を送信する。
パネル駆動要求を受信した表示部制御装置１１０の全体制御部１４０は、受信した次画像データ（図８（ｆ）に示す画像データＤ５）を画像データ書込制御部１４１に出力する。画像データ書込制御部１４１は、受信した画像データを、記憶装置制御部１４４を介して記憶装置１１１の次画像保持部１２１に記憶させる。このとき、前画像保持部１２０には、図８（ａ）に対応する画像データＤ０が保持されている。その後、全体制御部１４０によって、予め設定された駆動シーケンスであるステップＳ１０１、Ｓ１０２が順次実行される。
【００６３】
＜表示消去ステップＳ１０１＞
全体制御部１４０は、パネル駆動要求に基づいて、表示消去ステップＳ１０１を構成する第１の消去ステップＳＴ１１〜第４の消去ステップＳＴ１４を実行する。
表示消去ステップＳ１０１では、前画像の反転消去動作が４フレーム（第１の消去ステップＳＴ１１〜第４の消去ステップＳＴ１４）にわたって実行される。より詳しくは、第１の消去ステップＳＴ１１〜第４の消去ステップＳＴ１４のそれぞれにおいて、前画像データから異なる画像データＤ１〜Ｄ４の反転画像データＤ１ｂ〜Ｄ４ｂが生成され、かかる反転画像データＤ１ｂ〜Ｄ４ｂに基づく画像を電気光学パネル１１２の表示部１５０に対して表示させる動作が実行される。第１の消去ステップＳＴ１１〜第４の消去ステップＳＴ１４は１フレームずつ実行され、これらを合計した４フレームが表示消去ステップＳ１０１の実行期間となる。
なお、図７に示す「反転消去１」〜「反転消去４」は、下記表１に示すように、使用される画像データの差異に対応させて消去方法の名称を記載したものである。
【００６４】
【表１】
2011221466.tif 000003
【００６５】
［第１の消去ステップＳＴ１１］
全体制御部１４０はまず、第１の消去ステップＳＴ１１を実行するための命令を、タイミング信号生成部１４２及び共通電源制御部１４３に出力する。
タイミング信号生成部１４２は、画像データ読出制御部１４５に対して、第１の消去ステップＳＴ１１で用いる前画像データを記憶装置１１１の前画像保持部１２０から読み出させる命令を出力する。画像データ読出制御部１４５は、記憶装置制御部１４４を介して前画像保持部１２０から前画像データを取得し、取得した前画像データを１画素分ずつ画像信号生成部１４６に出力する。
【００６６】
画像信号生成部１４６は、タイミング信号生成部１４２を介して入力された制御信号により、画像データＤ１の反転画像データＤ１ｂ（図８（ｂ）下段）を出力するモードに設定される。すなわち、第１選択回路１８５の制御端子ＳＳに対して入力１（１ライン遅延回路１８１と接続された端子）を選択する制御信号が入力されるとともに、第２選択回路１８９の制御端子ＳＳに対して入力２（ＮＯＴ回路１８６と接続された端子）を選択する制御信号が入力される。
【００６７】
これにより、画像データ読出制御部１４５から端子Ｔ２を介して画像信号生成部１４６に入力された画素データは、１ライン遅延回路１８１の作用により画像データＤ１を構成する画素データに変換されて第１選択回路１８５に入力され、第１選択回路１８５からＮＯＴ回路１８６に出力される。ＮＯＴ回路１８６に入力された画素データは、その後、ＮＯＴ回路１８６により反転画像データＤ１ｂを構成する画素データに変換されて第２選択回路１８９に入力され、第２選択回路１８９からデータ線駆動回路１５２に出力される。
【００６８】
上記の動作により、第２選択回路１８９から、前画像データ（画像データＤ０）を１画素分だけ図示左方向（第１の方向）へずらした画像データＤ１の反転画像データＤ１ｂに対応する画像信号が出力される。画像信号生成部１４６は、上記の画像信号をタイミング信号とともにデータ線駆動回路１５２に出力する。
本実施形態に係る第１の消去ステップＳＴ１１では、表示部１５０を構成する画素１０のうち、図８（ｂ）に示す領域Ｒ１（第１の領域）に属する画素１０にのみ白を書き込む。そのためには、図８（ｂ）に示す反転画像データＤ１ｂのうち、領域Ｂ１（白色で示した画素データ「０」）に対応する画素１０に、画像信号としてローレベル電位ＶＬ（例えば−１５Ｖ）が入力される。一方、黒色で示した画素データ「１」に対応する画素１０には、画像信号として、基準電位ＧＮＤ（例えば０Ｖ）が入力される。
選択信号生成部１４７は、タイミング信号生成部１４２の制御のもと、画像表示に必要な選択信号を生成し、タイミング信号とともに走査線駆動回路１５１に出力する。また、共通電源制御部１４３は、共通電源１６３に対して、共通電極２５に基準電位ＧＮＤ（例えば０Ｖ）を供給する命令を出力する。
【００６９】
そして、電気光学パネル１１２では、選択信号を入力された走査線駆動回路１５１と画像信号を入力されたデータ線駆動回路１５２とによって、画素１０の画素電極２４に、反転画像データＤ１ｂに基づく画像信号（ローレベル電位ＶＬ又は基準電位ＧＮＤ）が入力される。また、共通電極２５には基準電位ＧＮＤが入力される。
【００７０】
これにより、図８（ｂ）に示す領域Ｒ１に属する画素１０において、画素電極２４がローレベル電位ＶＬとされることで、共通電極２５（基準電位ＧＮＤ）に対して相対的に低電位となり、電気光学物質層２６（電気泳動素子）が白表示動作する（図３（ａ）参照）。すなわち、領域Ｒ１に属する画素１０に白が書き込まれる。一方、領域Ｒ１以外の画素１０では、画素電極２４に基準電位ＧＮＤが入力され、共通電極２５と同電位となるので、電気光学物質層２６は駆動されない。すなわち、領域Ｒ１以外の画素１０は駆動されず、表示状態は変化しない。
上記の動作により、図８（ａ）に示した領域Ｒ０から１画素分左にずれた領域Ｒ１に白が書き込まれる。ただし、領域Ｒ０のうち領域Ｒ１と重ならない部分は、黒表示のままである。また、領域Ｒ０のうち領域Ｒ１と重なる部分において、表示状態が完全に黒色から白色に変化せず、灰色になる場合もあるが、本明細書ではこのような場合も、白を書き込む、と表現する。つまり、白色の表示状態に近づくように画素１０を動作させていれば足り、表示状態が白色となるまで画素１０を動作させることまでは要しない。
【００７１】
［第２の消去ステップＳＴ１２］
次に、全体制御部１４０は、第２の消去ステップＳＴ１２を実行する。
第２の消去ステップＳＴ１２において、画像信号生成部１４６は、タイミング信号生成部１４２を介して入力された制御信号により、画像データＤ２の反転画像データＤ２ｂ（図８（ｃ）下段）を出力するモードに設定される。すなわち、第１選択回路１８５の制御端子ＳＳに対して入力２（データ保持回路１９３と接続された端子）を選択する制御信号が入力されるとともに、第２選択回路１８９の制御端子ＳＳに対して入力２（ＮＯＴ回路１８６と接続された端子）を選択する制御信号が入力される。
【００７２】
これにより、画像データ読出制御部１４５から端子Ｔ２を介して画像信号生成部１４６に入力された画素データは、１ライン遅延回路１８１、及びデータ保持回路１９１、１９３の作用により画像データＤ２を構成する画素データに変換されて第１選択回路１８５に入力され、第１選択回路１８５からＮＯＴ回路１８６に出力される。ＮＯＴ回路１８６に入力された画素データは、その後、ＮＯＴ回路１８６により反転画像データＤ２ｂを構成する画素データに変換されて第２選択回路１８９に入力され、第２選択回路１８９からデータ線駆動回路１５２に出力される。
【００７３】
上記の動作により、第２選択回路１８９から、前画像データ（画像データＤ０）を１画素分だけ図示右方向（第２の方向）にずらした画像データＤ２の反転画像データＤ２ｂに対応する画像信号が出力される。画像信号生成部１４６は、上記の画像信号をタイミング信号とともにデータ線駆動回路１５２に出力する。
第２の消去ステップＳＴ１２では、表示部１５０を構成する画素１０のうち、図８（ｃ）に示す領域Ｒ２（第２の領域）に属する画素１０のみに白を書き込む。これにより、第１の消去ステップＳＴ１１で白を書き込まれなかった画素にも白が書き込まれる。そのためには、図８（ｃ）に示す反転画像データＤ２ｂのうち、領域Ｂ２（白色で示した画素データ「０」）に対応する画素１０に、画像信号としてローレベル電位ＶＬ（例えば−１５Ｖ）が入力される。一方、黒色で示した画素データ「１」に対応する画素１０には、画像信号として、基準電位ＧＮＤ（例えば０Ｖ）が入力される。
選択信号生成部１４７及び共通電源制御部１４３の動作は第１の消去ステップＳＴ１１と同様である。
【００７４】
そして、電気光学パネル１１２では、選択信号を入力された走査線駆動回路１５１と画像信号を入力されたデータ線駆動回路１５２とによって、画素１０の画素電極２４に、反転画像データＤ２ｂに基づく画像信号（ローレベル電位ＶＬ又は基準電位ＧＮＤ）が入力される。また、共通電極２５には基準電位ＧＮＤが入力される。
【００７５】
これにより、図８（ｃ）に示す領域Ｒ２に属する画素１０に白が書き込まれるため、第１の消去ステップＳＴ１１で白を書き込まれなかった画素、すなわち図８（ａ）に示した領域Ｒ０のうち領域Ｒ１と重ならない部分の画素にも白が書き込まれる。また、第１の消去ステップＳＴ１１において領域Ｒ０のうち領域Ｒ１と重なる部分を完全に消去できなかった場合には、その領域の表示状態がさらに白色に近づく。一方、領域Ｒ２以外の画素１０の表示は変化しない。
【００７６】
［第３の消去ステップＳＴ１３］
次に、全体制御部１４０は、第３の消去ステップＳＴ１３を実行する。
第３の消去ステップＳＴ１３において、画像信号生成部１４６は、タイミング信号生成部１４２を介して入力された制御信号により、画像データＤ３の反転画像データＤ３ｂ（図８（ｄ）下段）を出力するモードに設定される。すなわち、第１選択回路１８５の制御端子ＳＳに対して入力３（データ保持回路１９０と接続された端子）を選択する制御信号が入力されるとともに、第２選択回路１８９の制御端子ＳＳに対して入力２（ＮＯＴ回路１８６と接続された端子）を選択する制御信号が入力される。
【００７７】
これにより、画像データ読出制御部１４５から端子Ｔ２を介して画像信号生成部１４６に入力された画素データは、データ保持回路１９０の作用により画像データＤ３を構成する画素データに変換されて第１選択回路１８５に入力され、第１選択回路１８５からＮＯＴ回路１８６に出力される。ＮＯＴ回路１８６に入力された画素データは、その後、ＮＯＴ回路１８６により反転画像データＤ３ｂを構成する画素データに変換されて第２選択回路１８９に入力され、第２選択回路１８９からデータ線駆動回路１５２に出力される。
【００７８】
上記の動作により、第２選択回路１８９から、前画像データ（画像データＤ０）を１画素分だけ図示上方向（第３の方向）にずらした画像データＤ３の反転画像データＤ３ｂに対応する画像信号が出力される。画像信号生成部１４６は、上記の画像信号をタイミング信号とともにデータ線駆動回路１５２に出力する。
第３の消去ステップＳＴ１３では、表示部１５０を構成する画素１０のうち、図８（ｄ）に示す領域Ｒ３（第３の領域）に属する画素１０のみに白を書き込む。そのためには、図８（ｄ）に示す反転画像データＤ３ｂのうち、領域Ｂ３（白色で示した画素データ「０」）に対応する画素１０に、画像信号としてローレベル電位ＶＬ（例えば−１５Ｖ）が入力される。一方、黒色で示した画素データ「１」に対応する画素１０には、画像信号として、基準電位ＧＮＤ（例えば０Ｖ）が入力される。
選択信号生成部１４７及び共通電源制御部１４３の動作は第１の消去ステップＳＴ１１と同様である。
【００７９】
そして、電気光学パネル１１２では、選択信号を入力された走査線駆動回路１５１と画像信号を入力されたデータ線駆動回路１５２とによって、画素１０の画素電極２４に、反転画像データＤ３ｂに基づく画像信号（ローレベル電位ＶＬ又は基準電位ＧＮＤ）が入力される。また、共通電極２５には基準電位ＧＮＤが入力される。
これにより、図８（ｄ）に示す領域Ｒ３に属する画素１０に白が書き込まれる。一方、領域Ｒ３以外の画素１０の表示は変化しない。
【００８０】
［第４の消去ステップＳＴ１４］
次に、全体制御部１４０は、第４の消去ステップＳＴ１４を実行する。
第４の消去ステップＳＴ１４において、画像信号生成部１４６は、タイミング信号生成部１４２を介して入力された制御信号により、画像データＤ４の反転画像データＤ４ｂ（図８（ｅ）下段）を出力するモードに設定される。すなわち、第１選択回路１８５の制御端子ＳＳに対して入力４（データ保持回路１９２と接続された端子）を選択する制御信号が入力されるとともに、第２選択回路１８９の制御端子ＳＳに対して入力２（ＮＯＴ回路１８６と接続された端子）を選択する制御信号が入力される。
【００８１】
これにより、画像データ読出制御部１４５から端子Ｔ２を介して画像信号生成部１４６に入力された画素データは、データ保持回路１９０の作用により画像データＤ４を構成する画素データに変換されて第１選択回路１８５に入力され、第１選択回路１８５からＮＯＴ回路１８６に出力される。ＮＯＴ回路１８６に入力された画素データは、その後、ＮＯＴ回路１８６により反転画像データＤ４ｂを構成する画素データに変換されて第２選択回路１８９に入力され、第２選択回路１８９からデータ線駆動回路１５２に出力される。
【００８２】
上記の動作により、第２選択回路１８９から、前画像データ（画像データＤ０）を１画素分だけ下方向（第４の方向）にずらした画像データＤ４の反転画像データＤ４ｂに対応する画像信号が出力される。画像信号生成部１４６は、上記の画像信号をタイミング信号とともにデータ線駆動回路１５２に出力する。
第４の消去ステップＳＴ１４では、表示部１５０を構成する画素１０のうち、図８（ｅ）に示す領域Ｒ４（第４の領域）に属する画素１０のみに白を書き込む。そのためには、図８（ｅ）に示す反転画像データＤ４ｂのうち、領域Ｂ４（白色で示した画素データ「０」）に対応する画素１０に、画像信号としてローレベル電位ＶＬ（例えば−１５Ｖ）が入力される。一方、黒色で示した画素データ「１」に対応する画素１０には、画像信号として、基準電位ＧＮＤ（例えば０Ｖ）が入力される。
選択信号生成部１４７及び共通電源制御部１４３の動作は第１の消去ステップＳＴ１１と同様である。
【００８３】
そして、電気光学パネル１１２では、選択信号を入力された走査線駆動回路１５１と画像信号を入力されたデータ線駆動回路１５２とによって、画素１０の画素電極２４に、反転画像データＤ３ｂに基づく画像信号（ローレベル電位ＶＬ又は基準電位ＧＮＤ）が入力される。また、共通電極２５には基準電位ＧＮＤが入力される。
これにより、図８（ｅ）に示す領域Ｒ４に属する画素１０に白が書き込まれる。一方、領域Ｒ２以外の画素１０の表示は変化しない。
【００８４】
以上の表示消去ステップＳ１０１により、表示部１５０の領域Ｒ０を含む領域が白表示となり、図８（ｅ）に示すように、表示部１５０の全面がほぼ均一な白表示状態となる。
【００８５】
＜画像表示ステップＳ１０２＞
表示消去ステップＳ１０１により表示部１５０の全面が白表示されたならば、画像表示ステップＳ１０２が実行される。
画像表示ステップＳ１０２は、新たな画像（次画像）を表示部１５０に表示させるステップであり、本実施形態の場合、次画像表示動作が４回（４フレーム）繰り返し実行される。
【００８６】
まず、全体制御部１４０は、画像表示ステップＳ１０２を実行するための命令を、タイミング信号生成部１４２及び共通電源制御部１４３に出力する。
タイミング信号生成部１４２は、画像データ読出制御部１４５に対して、画像表示ステップＳ１０２で用いる次画像データを記憶装置１１１の次画像保持部１２１から読み出させる命令を出力する。画像データ読出制御部１４５は、記憶装置制御部１４４を介して次画像保持部１２１から次画像データ（図８（ｆ）に示す画像データＤ５）を取得し、取得した次画像データを１画素分ずつ画像信号生成部１４６に出力する。
【００８７】
画像信号生成部１４６は、タイミング信号生成部１４２を介して入力された制御信号により、次画像を出力するモードに設定される。すなわち、第２選択回路１８９の制御端子ＳＳに対して、入力１（配線１７１と接続された端子）を選択する制御信号が入力される。
【００８８】
上記の動作により、第２選択回路１８９から、図８（ｆ）に示す画像データＤ５に対応する画像信号が出力される。画像データＤ５は、白色の背景に上下方向に延びる黒色の帯（領域Ｂ５）が描かれたものである。白色の背景に対応する領域に画素データ「０」が配置され、領域Ｂ５に画素データ「１」が配置されている。画像信号生成部１４６は、上記の画像信号をタイミング信号とともにデータ線駆動回路１５２に出力する。
【００８９】
本実施形態に係る画像表示ステップＳ１０２では、図８（ｆ）に示す画像データＤ５のうち、領域Ｂ５（黒色で示した画素データ「１」）に対応する画素１０には、画像信号として、ハイレベル電位ＶＨ（例えば１５Ｖ）が入力される。一方、それ以外の白色で示した画素データ「０」に対応する画素１０には、画像信号として、基準電位ＧＮＤ（例えば０Ｖ）が入力される。
【００９０】
選択信号生成部１４７は、タイミング信号生成部１４２の制御のもと、画像表示に必要な選択信号を生成し、タイミング信号とともに走査線駆動回路１５１に出力する。
共通電源制御部１４３は、共通電源１６３に対して、共通電極２５に基準電位ＧＮＤ（例えば０Ｖ）を供給する命令を出力する。
【００９１】
そして、電気光学パネル１１２では、選択信号を入力された走査線駆動回路１５１と画像信号を入力されたデータ線駆動回路１５２とによって、画素１０の画素電極２４に、前画像の反転画像に基づく画像信号（ハイレベル電位ＶＨ又は基準電位ＧＮＤ）が入力される。また、共通電極２５には基準電位ＧＮＤが入力される。これにより、表示部１５０の中央部に黒色の帯状の領域Ｒ５が描画される。
【００９２】
画像表示ステップＳ１０２では、上記した電気光学パネル１１２への次画像表示動作が、４回（４フレーム）繰り返して実行される。これにより、電気光学物質層２６の駆動時間を長くし、所望のコントラストの表示を得ることができる。
以上のステップＳ１０１、Ｓ１０２により、表示部１５０の表示画像が更新される。
【００９３】
以上に詳細に説明した第１実施形態の電気光学装置１００及びその駆動方法では、表示部１５０の黒色の画像成分（例えば図８（ａ）に示す領域Ｒ０）を消去する際に、領域Ｒ０を左右上下に１画素分ずらした領域Ｒ１〜Ｒ４の画素１０を駆動して消去を行う。これにより、領域Ｒ０に属する画素１０のみを駆動して画像の消去を行った場合に領域Ｒ０の輪郭に沿って生じていた残像を低減することができる。
【００９４】
さらに詳細に説明すると、図８（ｂ）に示した第１の消去ステップＳＴ１１では、領域Ｒ１を消去範囲としている。領域Ｒ１は、領域Ｒ０の図示左側の端縁Ｒ０ａを内包しているため、端縁Ｒ０ａを挟んで配置された２つの画素１０に少なくとも白を書き込むことができる。これにより、領域Ｒ０の内側の画素１０のみを駆動した場合に生じていた残像を低減することができる。
【００９５】
同様に、第２の消去ステップＳＴ１２では、領域Ｒ０の図示右側の端縁Ｒ０ｂを内包する領域Ｒ２を消去範囲に設定しているため、端縁Ｒ０ｂにおいて残像が生じるのを低減することができる。また、第３の消去ステップＳＴ１３では、領域Ｒ０の図示上側の端縁Ｒ０ｃにおいて残像が生じるのを低減し、第４の消去ステップＳＴ１４では、領域Ｒ０の図示下側の端縁Ｒ０ｄにおいて残像が生じるのを低減することができる。以上により、領域Ｒ０を取り囲む端縁Ｒ０ａ〜Ｒ０ｄの全てで残像を低減することができ、高品質の表示を得ることができる。
【００９６】
また本実施形態の電気光学装置１００及びその駆動方法では、第１の消去ステップＳＴ１１〜第４の消去ステップＳＴ１４を、１フレームずつ実行している。これにより、電気光学物質層２６における電流バランスが崩れるのを低減し、電気光学物質層２６の信頼性が低下するのを抑えることができる。以下、かかる作用効果について詳細に説明する。
【００９７】
第１の消去ステップＳＴ１１〜第４の消去ステップＳＴ１４では、図８（ａ）に示した領域Ｒ０の外側に位置する画素１０（以下「周囲画素」と称する場合もある。）に白を書き込むが、これらの周囲画素は、元々白表示されていた画素である。そのため、これらの周囲画素に対して、画像表示ステップＳ１０２と同様の４フレームにわたって白を書き込むための電圧を印加すると、領域Ｒ０の周囲に他の領域よりも白く表示された領域が形成され、その領域が残像のように視認されてしまう。
また、上記の周囲画素には、黒を書き込むための電圧を印加することなく白を書き込むための電圧を印加することになるため、電気光学物質層２６の電流履歴のバランスが崩れ、電気光学物質層２６の寿命を短縮させたり、電気光学パネル１１２の信頼性を低下させるおそれがある。
そこで、本実施形態に係る表示消去ステップＳ１０１では、周囲画素を駆動する時間を可能な限り短くするために、第１の消去ステップＳＴ１１〜第４の消去ステップＳＴ１４を各々１フレームのみ実行することにした。領域Ｒ０の輪郭に沿って生じる残像は灰色であり、領域Ｒ０において表示されている黒よりも薄い色である。したがって、たとえば黒色から白色に書き換えるために４フレームにわたって駆動しなければならない場合であっても、上記の過書き込みや電流バランスの問題を回避しつつ、１フレームの駆動で輪郭の残像を視認されにくくすることができる。
【００９８】
上記では、第１の消去ステップＳＴ１１〜第４の消去ステップＳＴ１４を１フレームずつ実行することで電気光学物質層２６の電流履歴のバランスを維持するようにしたが、電流履歴のバランスへの影響をさらに小さくするには、フレーム数では調整することができない。そこで、図９に示すように、表示消去ステップＳ１０１ａと、選択消去ステップＳ１０１ｂと、画像表示ステップＳ１０２とを順次実行することとしてもよい。
【００９９】
図９に示す選択消去ステップＳ１０１ａは図７に示す選択消去ステップＳ１０１と同じであるため、説明を省略する。図９に示す選択消去ステップＳ１０１ｂでは、画像データＤ０の反転画像データを用いて表示の消去を行う動作（「反転消去０」と表記している。）を、４フレームにわたって実行する。すなわち、図８（ａ）に示した領域Ｒ０の画素１０のみに白を書き込み、表示部１５０の全面を白表示に移行させる。
そして、図９に示す表示消去ステップＳ１０１ａ及び選択消去ステップＳ１０１ｂでは、画像表示ステップＳ１０２に対してフレーム周波数が例えば２倍に設定される。
【０１００】
上記の駆動方法によれば、第１の消去ステップＳＴ１１ａ〜第４の消去ステップＳＴ１４ａにおける画素１０の選択期間が、図７に示した第１の消去ステップＳＴ１１〜第４の消去ステップＳＴ１４の１／２になるため、電気光学物質層２６を駆動する時間も短くなる。これにより、領域Ｒ０の外側に位置する周囲画素の駆動時間を短くすることができ、電流履歴のバランスをより良好に維持することができる。
一方、表示消去ステップＳ１０１ａのフレーム周波数を上昇させると、領域Ｒ０に属する画素１０の駆動時間も短くなるため、領域Ｒ０の消去が不十分になる虞がある。そこで、選択消去ステップＳ１０１ｂをさらに設け、領域Ｒ０にのみ白を書き込んで消去することで、図７に示した表示消去ステップＳ１０１と同等の消去状態を得られるようにしている。
【０１０１】
また本実施形態では、表示消去ステップＳ１０１を、第１の消去ステップＳＴ１１〜第４の消去ステップＳＴ１４の４ステップで構成したが、２ステップや３ステップで構成することもできる。
図８に示したように、第１の消去ステップＳＴ１１と第２の消去ステップＳＴ１２とを実行すれば、表示部１５０の全面をほぼ白表示に移行させることができる。したがって、領域Ｒ１の図示上側の端縁Ｒ０ｃや図示下側の端縁Ｒ０ｄにおいて残像が生じにくい場合などには、表示消去ステップＳ１０１を第１の消去ステップＳＴ１１および第２の消去ステップＳＴ１２の２ステップで構成することが可能である。
【０１０２】
あるいは、第１の消去ステップＳＴ１１において、図８（ｂ）及び図８（ｄ）に示す消去動作を同時に実行し、第２の消去ステップＳＴ１２において、図８（ｃ）及び図８（ｅ）に示す消去動作を同時に実行してもよい。この場合、第１の消去ステップＳＴ１１において、画像データＤ０を左方向及び上方向にそれぞれ１画素分ずらした画像データの反転画像データを用いて消去を行い、第２の消去ステップＳＴ１２において、画像データＤ０を右方向及び下方向にそれぞれ１画素分ずらした画像データの反転画像データを用いて消去を行えばよい。
【０１０３】
また本実施形態では、第１の消去ステップＳＴ１１〜第４の消去ステップＳＴ１４において、前画像の画像データＤ０を左右上下に１画素分だけずらした画像データＤ１〜Ｄ４を生成することとしたが、画像データＤ０に対して２画素分以上ずらして画像データＤ１〜Ｄ４を生成してもよい。画素の大きさが残像の幅よりも小さい場合などは、画像データＤ０に対して２画素分以上ずらして画像データＤ１〜Ｄ４を生成したほうが、効果的に残像を低減することができる。
【０１０４】
また本実施形態では、消去動作時に画像データＤ１〜Ｄ４を生成する手段を備えた表示部制御装置１１０を具備する場合について説明したが、これらの画像データＤ１〜Ｄ４の反転画像データＤ１ｂ〜Ｄ４ｂを外部で作製する構成としてもよい。例えば、パーソナルコンピューターなどの上位装置において予め反転画像データＤ１ｂ〜Ｄ４ｂを生成しておき、画像データＤ０とともに電気光学装置１００に転送するようにしてもよい。あるいは、ＣＰＵ１０２による画像処理によって反転画像データＤ１ｂ〜Ｄ４ｂを生成する構成としてもよい。
【０１０５】
（第２の実施形態）
次に、本発明の第２の実施形態について、図１０から図１２を参照して説明する。
図１０は、第２実施形態の電気光学装置に備えられた画像信号生成部２４６を示す図である。図１１は、画像信号生成部２４６において生成される画像データＤ１Ａ〜Ｄ４Ａを示す説明図である。図１２は、第２実施形態に係る電気光学装置の作用説明図である。
【０１０６】
図１０に示す画像信号生成部２４６は、画像データ読出制御部１４５と接続される端子Ｔ１、Ｔ２と、１ライン遅延回路１８１、１８２と、画素データ保持部２８３と、ＯＲ回路２１１〜２１４と、第１選択回路１８５と、ＮＯＴ回路１８６と、第２選択回路１８９と、を備えている。
【０１０７】
画素データ保持部２８３は、４つのデータ保持回路２９０〜２９３を有する。データ保持回路２９０〜２９３はいずれもＤフリップフロップであり、これらのうちデータ保持回路２９０とデータ保持回路２９３とが直列に接続されている。画素データ保持部２８３において、３つのデータ保持回路２９０、２９１、２９２のＤ入力が入力端子とされ、データ保持回路２９３、２９１、２９２のＱ出力が出力端子とされている。
【０１０８】
端子Ｔ２は、配線１７４を介して１ライン遅延回路１８１と、データ保持回路２９１のＤ入力とに接続されている。１ライン遅延回路１８１の出力端子は、配線１７５を介してデータ保持回路２９０のＤ入力と、ＯＲ回路２１２の第２入力端子と、１ライン遅延回路１８２の入力端子とに接続されている。１ライン遅延回路１８２の出力端子は、データ保持回路２９２のＤ入力に接続されている。
【０１０９】
ＯＲ回路２１１〜２１４は、画素データ保持部２８３と第１選択回路１８５との間に設けられており、ＯＲ回路２１１〜２１４の第１入力端子は、データ保持回路２９０のＱ出力（データ保持回路２９３のＤ入力）に配線１７７を介して接続されている。
【０１１０】
ＯＲ回路２１１の第２入力端子はデータ保持回路２９３のＱ出力に接続され、出力端子は第１選択回路１８５の入力端子（入力１）に接続されている。
ＯＲ回路２１２の第２入力端子は配線１７５を介して１ライン遅延回路１８１の出力端子に接続され、出力端子は第１選択回路１８５の入力端子（入力２）に接続されている。
ＯＲ回路２１３の第２入力端子はデータ保持回路２９１のＱ出力に接続され、出力端子は第１選択回路１８５の入力端子（入力３）に接続されている。
ＯＲ回路２１４の第２入力端子はデータ保持回路２９２のＱ出力に接続され、出力端子は第１選択回路１８５の入力端子（入力４）に接続されている。
【０１１１】
上記構成を備えた画像信号生成部２４６において、端子Ｔ２に入力された「前画像画素データ」は、データ保持回路２９１と、１ライン遅延回路１８１とに入力される。また、１ライン遅延回路１８１に保持された画素データは、走査線Ｇの選択期間に相当する期間保持された後、データ保持回路２９０と１ライン遅延回路１８２とに出力される。さらに、１ライン遅延回路１８２に保持された画素データは、走査線Ｇの選択期間に相当する期間保持された後、データ保持回路２９２に出力される。
上記の動作により、画素データ保持部２８３の３つの入力端子には、前画像データにおいて同一列に属するとともに行方向に連続した３個の画素データが同時に入力される。
【０１１２】
画素データ保持部２８３は、４つの出力端子を有している。データ保持回路２９０のＱ出力と接続された出力端子から画像データＤ０（前画像データ）を構成する画素データが出力され、ＯＲ回路２１１〜２１４に入力される。
データ保持回路２９３のＱ出力と接続された出力端子から画像データＤ１を構成する画素データが出力され、ＯＲ回路２１１に入力される。データ保持回路２９１のＱ出力と接続された出力端子から画像データＤ３を構成する画素データが出力され、ＯＲ回路２１３に入力される。データ保持回路２９２のＱ出力と接続された出力端子から画像データＤ４を構成する画素データが出力され、ＯＲ回路２１４に入力される。
一方、画像データＤ２を構成する画素データは、１ライン遅延回路１８１の出力端子から出力され、ＯＲ回路２１２に入力される。
【０１１３】
ＯＲ回路２１１〜２１４は、画像データＤ０と、画像データＤ１〜Ｄ４との論理和を出力する。ＯＲ回路２１１〜２１４から出力される画素データは、図１１に示す画像データＤ１Ａ〜Ｄ４Ａを構成するものである。画像データＤ１Ａ〜Ｄ４Ａには、それぞれ、画像データＤ０の図形Ｆを左右上下のいずれか一方向に１画素分拡張した図形Ｆ１〜Ｆ４が描かれている。
なお、画像信号生成部２４６から出力される画像データは、ＮＯＴ回路１８６により画像データＤ１Ａ〜Ｄ４Ａを白黒反転（階調値を反転）させた反転画像データである。
【０１１４】
以上の画像信号生成部２４６を備えた本実施形態の電気光学装置では、第１実施形態と同様の駆動方法を用いて表示部１５０の表示画像を更新することができる。すなわち、図７に示した表示消去ステップＳ１０１（第１の消去ステップＳＴ１１〜第４の消去ステップＳＴ１４）と、画像表示ステップＳ１０２とを順に実行することで、図８（ａ）に示す領域Ｒ０（黒色の図形）を選択的に消去することで表示部１５０を全面白表示させ、図８（ｆ）に示す黒色の帯状の図形を表示部１５０に表示させることができる。
【０１１５】
上記構成を備えた第２実施形態の電気光学装置及びその駆動方法では、表示消去ステップＳ１０１を構成する第１の消去ステップＳＴ１１〜第４の消去ステップＳＴ１４において、図１１に示した画像データＤ１Ａ〜Ｄ４Ａの反転画像データを用いて画像の選択的な消去が行われる。これにより、画素１０における電流履歴のバランスを維持しつつ、残像のない高品質の表示を得ることができる。かかる作用効果について、以下に図１２を参照しつつ説明する。
【０１１６】
図１２（ａ）は、第１実施形態に係る電気光学装置１００の駆動方法を実行した場合に、表示消去ステップＳ１０１で実行される消去回数の表示部１５０上の分布Ｒｅを示す図である。図１２（ｂ）は、第２実施形態の場合における消去回数の分布ＲｅＡを示す図である。図１２（ａ）及び図１２（ｂ）において、点線で示した正方形の領域が画像データＤ０に対応する領域Ｒ０である。ここで、消去回数は、ある領域において実行された消去操作の回数、つまり白が書き込まれた回数、を意味する。
【０１１７】
図１２（ａ）に示すように、第１実施形態に係る駆動方法では、画像データＤ０を左右上下に１画素分ずらした画像データＤ１〜Ｄ４の反転画像データを用いて消去を行うので、領域Ｒ０の輪郭のすぐ内側の画素において消去回数が少なくなる。例えば、第１の消去ステップＳＴ１１では、図示左側の領域Ｒ１１が消去範囲に含まれる一方で、領域Ｒ０右端の領域Ｒ２３、Ｒ３３、Ｒ２４が消去範囲に含まれない。第２の消去ステップＳＴ１２〜第４の消去ステップＳＴ１４でも同様に領域Ｒ０の輪郭の一部が消去範囲から外れてしまう。
【０１１８】
これにより、領域Ｒ０の中央のＲ１０では４回の消去動作が実行されるのに対して、領域Ｒ０の輪郭の角部（領域Ｒ２１〜Ｒ２４）では消去動作は２回、輪郭の辺部（領域Ｒ３１〜Ｒ３４）では消去動作は３回と少なくなる。一方、領域Ｒ０に黒色の正方形を表示させたときには、４回の黒表示動作（画像表示ステップＳ１０２）が行われている。したがって、第１実施形態の駆動方法では、領域Ｒ０の輪郭部分（領域Ｒ２１〜２４、Ｒ３１〜Ｒ３４）において、黒表示動作と白表示動作の実行回数のバランス（電流履歴のバランス）が崩れてしまう。
【０１１９】
これに対して、第２実施形態の駆動方法では、図１１に示した画像データＤ１Ａ〜Ｄ４Ａの反転画像データを用いて第１の消去ステップＳＴ１１〜第４の消去ステップＳＴ１４が実行される。すなわち、第１の消去ステップＳＴ１１では、図１２（ｂ）に示す領域Ｒ０と領域Ｒ１１とが消去範囲とされ、第２の消去ステップＳＴ１２では、領域Ｒ０と領域Ｒ１３とが消去範囲とされ、第３の消去ステップＳＴ１３では、領域Ｒ０と領域Ｒ１４とが消去範囲とされ、第４の消去ステップＳＴ１４では、領域Ｒ０と領域Ｒ１２とが消去範囲とされる。これにより、領域Ｒ０の全体で４回の消去動作が実行されることとなるので、領域Ｒ０における黒表示動作と白表示動作の実行回数のバランスを維持することができる。その結果、電流履歴のバランスを維持しつつ、残像のない高品質の表示を得ることができる。
【０１２０】
なお、第２実施形態の電気光学装置についても、図９に示した駆動方法を適用することができる。これにより、電流履歴のバランスをさらに良好に維持することが可能になる。
また、第１の消去ステップＳＴ１１〜第４の消去ステップＳＴ１４において、前画像の画像データＤ０を左右上下のいずれか一方向に１画素分だけ拡張させた画像データＤ１Ａ〜Ｄ４Ａを生成することとしたが、画像データＤ０に対して２画素分以上拡張させた画像データＤ１Ａ〜Ｄ４Ａを生成してもよい。画素の大きさが残像の幅よりも小さい場合などは、画像データＤ０に対して２画素分以上ずらして画像データＤ１Ａ〜Ｄ４Ａを生成したほうが、効果的に残像を低減することができる。
また本実施形態では、消去動作時に画像データＤ１Ａ〜Ｄ４Ａを生成する手段を備えた表示部制御装置１１０を具備する場合について説明したが、これらの画像データＤ１Ａ〜Ｄ４Ａの反転画像データを外部装置から供給する構成としてもよく、ＣＰＵ１０２によって生成する構成としてもよい。
【０１２１】
（電子機器）
次に、上記実施形態の電気光学装置を、電子機器に適用した場合について説明する。
図１３は、腕時計１０００の正面図である。腕時計１０００は、時計ケース１００２と、時計ケース１００２に連結された一対のバンド１００３とを備えている。
時計ケース１００２の正面には、上記各実施形態の電気光学装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【０１２２】
図１４は電子ペーパー１１００の構成を示す斜視図である。電子ペーパー１１００は、上記実施形態の電気光学装置を表示領域１１０１に備えている。電子ペーパー１１００は可撓性を有し、従来の紙と同様の質感及び柔軟性を有する書き換え可能なシートからなる本体１１０２を備えて構成されている。
【０１２３】
図１５は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【０１２４】
以上の腕時計１０００、電子ペーパー１１００、及び電子ノート１２００によれば、本発明に係る電気光学装置が採用されているので、高品質の表示が可能な表示手段を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも好適に用いることができる。
【符号の説明】
【０１２５】
１０  画素、２６  電気光学物質層、１００  電気光学装置、１０２  ＣＰＵ、１１０  表示部制御装置（制御部、制御回路）、１５０  表示部、Ｓ１０１，Ｓ１０１ａ  表示消去ステップ、Ｓ１０１ｂ  選択消去ステップ、Ｓ１０２  画像表示ステップ、ＳＴ１１，ＳＴ１１ａ  第１の消去ステップ、ＳＴ１２，ＳＴ１２ａ  第２の消去ステップ、ＳＴ１３，ＳＴ１３ａ  第３の消去ステップ、ＳＴ１４，ＳＴ１４ａ  第４の消去ステップ、Ｒ１  第１の領域、Ｒ２  第２の領域
【図１】
2011221466.tif 000004
【図２】
2011221466.tif 000005
【図３】
2011221466.tif 000006
【図４】
2011221466.tif 000007
【図６】
2011221466.tif 000008
【図７】
2011221466.tif 000009
【図９】
2011221466.tif 000010
【図１０】
2011221466.tif 000011
【図１２】
2011221466.tif 000012
【図１３】
2011221466.tif 000013
【図１４】
2011221466.tif 000014
【図１５】
2011221466.tif 000015
【図５】
2011221466.tif 000016
【図８】
2011221466.tif 000017
【図１１】
2011221466.tif 000018